(57)【要約】      （修正有）【課題】太陽光発電装置設置点の電圧を下げて出力抑制を解消するような制御を可能とする、配電系統の電圧調整装置、システム、方法および配電設備設計支援システムを提供する。【解決手段】タップ付変圧器を備えた配電系統の自動電圧調整装置３００は、所定時間帯内に配電系統から得た情報に基づいて電圧調整装置の整定値であるインピーダンスを求める時間帯別インピーダンス導出手段と、所定時間帯における日射量を求める日射量入手手段と、同一の所定時間帯におけるインピーダンスと日射量を関連付けて記憶するデータベースＤＢ１、ＤＢ２と、基準日射量によりデータベースを参照して基準日射量のときのインピーダンスを求めるインピーダンス抽出手段と、抽出したインピーダンスを整定値として用いて配電系統の仮想点における電圧を設定電圧とすべくタップを調整するタップ調整手段３４０と、を備える。【選択図】図３
2019126229.tif 000002
【特許請求の範囲】
【請求項１】
複数の太陽光発電装置を備えた配電系統に設置され、配電系統の仮想点における電圧を設定電圧とすべくタップを調整するタップ付変圧器を備えた配電系統の電圧調整装置であって、
所定時間帯内に配電系統から得た情報に基づいて、当該所定時間帯における当該の配電系統に固有に定まる，電圧調整装置の整定値であるインピーダンスを求める時間帯別インピーダンス導出手段と、前記所定時間帯における日射量を求める日射量入手手段と、同一の前記所定時間帯における前記インピーダンスと日射量を関連付けて記憶するデータベースと、基準日射量により前記データベースを参照して基準日射量のときの前記インピーダンスを求めるインピーダンス抽出手段と、抽出したインピーダンスを整定値として用いて配電系統の仮想点における電圧を設定電圧とすべくタップを調整するタップ調整手段を備えることを特徴とする配電系統の電圧調整装置。
【請求項２】
請求項１記載の配電系統の電圧調整装置であって、
前記配電系統から得た情報とは、前記タップ付変圧器の通過電流の有効成分と無効成分、並びに前記タップ付変圧器と複数の前記太陽光発電装置の間の電位差であり、
前記時間帯別インピーダンス導出手段は、前記タップ付変圧器の通過電流の有効成分と無効成分で定まる平面上において、分割区間を決定する平面上分割区間決定手段と、前記分割区間における前記電位差について、電位差が大きい順にランク付けして上位の複数の電位差を抽出する上位ランク電位差抽出手段と、抽出された電位差を用いた重回帰分析を実施し、前記タップ付変圧器のインピーダンスを決定する重回帰分析手段を備えていることを特徴とする配電系統の電圧調整装置。
【請求項３】
請求項２記載の配電系統の電圧調整装置であって、
電圧調整装置は、前記タップ付変圧器の通過電流と、前記タップ付変圧器と前記太陽光発電装置の設置点間の電位差と、日射量についての計測手段から情報を得、該計測手段からの情報と、対象とする配電系統の構成の情報と、太陽光発電装置の配置・容量の情報と、負荷パタンの情報と、前記タップ付変圧器の配置データの情報を含む蓄積手段を備えていることを特徴とする配電系統の電圧調整装置。
【請求項４】
請求項２または請求項３に記載の配電系統の電圧調整装置であって、
前記タップ付変圧器から前記仮想点までの距離を表す整定値は、この間のインピーダンスまたはインピーダンスに関連する係数であることを特徴とする配電系統の電圧調整装置。
【請求項５】
請求項２から請求項４のいずれか１項に記載の配電系統の電圧調整装置であって、
線路電圧降下補償回路を少なくとも２組備え、第１の線路電圧降下補償回路は、前記配電系統における第１の仮想点における電圧を設定電圧とすべく前記タップ付変圧器のタップを調整せしめ、第２の線路電圧降下補償回路は、前記インピーダンス抽出手段が求めた前記整定値を用いて前記配電系統における第２の仮想点における電圧を設定電圧とすべく前記タップ付変圧器のタップを調整せしめることを特徴とする配電系統の電圧調整装置。
【請求項６】
請求項１から請求項５のいずれか１項に記載の配電系統の電圧調整装置であって、
前記基準日射量は、計測された日射量、過去実績に基づいて定めた日射量、気象予測に基づいて定めた日射量のいずれかであることを特徴とする配電系統の電圧調整装置。
【請求項７】
複数の太陽光発電装置を備えた配電系統に適用され、配電系統の仮想点における電圧を設定電圧とすべくタップを調整するタップ付変圧器と、配電設備設計支援システムを含む配電系統の電圧調整システムであって、
前記配電設備設計支援システムは、
所定時間帯内に配電系統から得た情報に基づいて、当該所定時間帯における当該の配電系統に固有に定まる，電圧調整装置の整定値であるインピーダンスを求める時間帯別インピーダンス導出手段と、前記所定時間帯における日射量を求める日射量入手手段と、同一の前記所定時間帯における前記インピーダンスと日射量を関連付けて記憶するデータベースを備え、
前記タップ付変圧器は、基準日射量により前記データベースを参照して基準日射量のときの前記インピーダンスを求めるインピーダンス抽出手段と、抽出したインピーダンスを整定値として用いて配電系統の仮想点における電圧を設定電圧とすべくタップを調整するタップ調整手段を備えることを特徴とする配電系統の電圧調整システム。
【請求項８】
請求項７に記載の配電系統の電圧調整システムであって、
前記配電設備設計支援システムは、前記タップ付変圧器の通過電流と、前記タップ付変圧器と前記太陽光発電装置の設置点間の電位差と、日射量についての計測手段から情報を得、該計測手段からの情報と、対象とする配電系統の構成の情報と、太陽光発電装置の配置・容量の情報と、負荷パタンの情報と、前記タップ付変圧器の配置データの情報を含む蓄積手段を備えていることを特徴とする配電系統の電圧調整システム。
【請求項９】
複数の太陽光発電装置を備えた配電系統に設置され、配電系統の仮想点における電圧を設定電圧とすべくタップを調整するタップ付変圧器を備えた配電系統の電圧調整方法であって、
所定時間帯内に配電系統から得た情報に基づいて、当該所定時間帯における当該の配電系統に固有に定まる，電圧調整装置の整定値であるインピーダンスを求め、前記所定時間帯における日射量を求め、同一の前記所定時間帯における前記インピーダンスと日射量を関連付けて記憶し、関連付けて記憶された前記インピーダンスと日射量を参照し、基準日射量のときの前記インピーダンスを抽出し、抽出したインピーダンスを整定値として用いて配電系統の仮想点における電圧を設定電圧とすべくタップを調整することを特徴とする配電系統の電圧調整方法。
【請求項１０】
複数の太陽光発電装置と、与えられた整定値に応じて配電系統の仮想点における電圧を設定電圧とすべくタップを調整するタップ付変圧器を備えた配電系統に適用され、前記仮想点における電圧を推定するための整定値を与える配電系統の配電設備設計支援システムであって、
所定時間帯内に配電系統から得た情報として、前記タップ付変圧器の通過電流の有効成分と無効成分、並びに前記タップ付変圧器と複数の前記太陽光発電装置の間の電位差に基づいて、当該所定時間帯における当該の配電系統に固有に定まる，電圧調整装置の整定値であるインピーダンスを求める時間帯別インピーダンス導出手段と、前記所定時間帯における太陽光発電出力を求める太陽光発電出力入手手段と、同一の前記所定時間帯における前記インピーダンスと太陽光発電出力を関連付けて記憶するデータベースを備え、前記データベースから抽出した前記インピーダンスを前記タップ付変圧器に与える出力手段を備えることを特徴とする配電系統の配電設備設計支援システム。
【請求項１１】
請求項１０記載の配電系統の配電設備設計支援システムであって、
前記タップ付変圧器の通過電流と、前記タップ付変圧器と前記太陽光発電装置の設置点間の電位差と、日射量についての計測手段から情報を得、該計測手段からの情報と、対象とする配電系統の構成の情報と、太陽光発電装置の配置・容量の情報と、負荷パタンの情報と、前記タップ付変圧器の配置データの情報を含む蓄積手段を備えていることを特徴とする配電系統の配電設備設計支援システム。
【請求項１２】
請求項１から請求項６のいずれか1項に記載の配電系統の電圧調整装置であって、
整定値として用いられるインピーダンスは、正及び負の値とされていることを特徴とする配電系統の電圧調整装置。
【請求項１３】
請求項７または請求項８に記載の配電系統の電圧調整システムであって、
整定値として用いられるインピーダンスは、正及び負の値とされていることを特徴とする配電系統の電圧調整システム。
【請求項１４】
請求項９に記載の配電系統の電圧調整方法であって、
整定値として用いられるインピーダンスは、正及び負の値とされていることを特徴とする配電系統の電圧調整方法。
【請求項１５】
請求項１０または請求項１１に記載の配電系統の配電設備設計支援システムであって、
整定値として用いられるインピーダンスは、正及び負の値とされていることを特徴とする配電系統の配電設備設計支援システム。
【発明の詳細な説明】
【技術分野】
【０００１】
本発明は、配電系統の電圧調整装置、電圧調整システム、電圧調整方法および配電設備設計支援システムに係り、特に配電系統に設置された太陽光発電装置の出力が抑制される場合に、太陽光発電装置設置点の電圧を下げる制御を可能とする配電系統の電圧調整装置、電圧調整システム、電圧調整方法および配電設備設計支援システムに関する。
【背景技術】
【０００２】
近年の配電系統では太陽光発電装置の系統連系が増大しているが、配電系統では、太陽光発電装置の発電量が増加すると、太陽光発電装置設置点の電圧が上昇するという現象がある。これを回避するために、太陽光発電装置には自端子電圧が規定電圧より上昇した場合に太陽光発電装置の発電量を抑制する機能が備えられている。この機能により、太陽光発電装置の発電量が制限されることになる。
【０００３】
他方、配電系統の電圧は、配電用変電所に設置された変圧器（負荷時タップ切替変圧器ＬＲＴ：Ｌｏａｄ  Ｒａｔｉｏ  Ｃｏｎｔｒｏｌ  Ｔｒａｎｓｆｏｒｍｅｒ）のタップ切替や、配電線上に設置された自動電圧調整器（ＳＶＲ：Ｓｔｅｐ  Ｖｏｌｔａｇｅ  Ｒｅｇｕｌａｔｏｒ）などのタップ切替によって制御されている。
【０００４】
先に述べた太陽光発電装置における発電量の抑制を回避するためには、電圧調整装置（負荷時タップ切替変圧器ＬＲＴや自動電圧調整器ＳＶＲ）で、配電系統の電圧を調整し、出力抑制を回避することが重要となる。そのためには、太陽光発電装置発電量に応じて、タップ制御を適切に行う必要がある。
【０００５】
電圧調整装置（負荷時タップ切替変圧器ＬＲＴや自動電圧調整器ＳＶＲ）の制御方法として、次のような手法が知られている。
【０００６】
例えば、通常の自動電圧調整器ＳＶＲにおいては、自端の二次側電圧と通過電流と力率からタップ値を決定する方法が非特許文献１により知られている。
【０００７】
特許文献１には、電圧調整変圧器の送出電圧から最高電圧点の電圧までの電圧上昇幅と、変圧器の送出電圧から最低電圧点の電圧までの電圧下降幅とを加算した電圧変動範囲の中心値が、規定値となるように、電圧調整装置の送出電圧を選定する制御手法が示されている。
【０００８】
また、自動電圧調整器ＳＶＲの二次側電圧（タップ値）を、系統内の太陽光発電装置発電量に応じて調整し、またその時の太陽光発電装置発電量は、太陽光発電装置と自動電圧調整器ＳＶＲ間の通信または日射計情報から推測することが知られている。
【０００９】
なお、自動電圧調整器ＳＶＲの詳細な構成は、非特許文献１にも詳しく記載されている。また重回帰分析の具体的な計算方法についても知られている。
【先行技術文献】
【特許文献】
【００１０】
【特許文献１】特開２００９−２４００３８号公報
【非特許文献】
【００１１】
【非特許文献１】「線路電圧調整器の進歩と適用」現代の配電技術、電気書院  １２８−１３４頁（１９７２年）
【発明の概要】
【発明が解決しようとする課題】
【００１２】
前述の非特許文献１による自端の二次側電圧と通過電流と力率からタップ値を決定する方法では、太陽光発電装置による電圧上昇、出力抑制を考慮した制御が想定されていない。そのため、自動電圧調整器ＳＶＲは太陽光発電装置の出力抑制により電圧上昇が回避されている状況では、電圧調整を行うことができず、太陽光発電装置の出力抑制を回避できない問題がある。
【００１３】
また、特許文献１に記載の方法では、太陽光発電装置の出力抑制により電圧上昇が回避されている状況では、電圧調整装置の線路電圧降下補償器の適切な整定を行うことができず、太陽光発電の出力抑制を回避できない問題がある。
【００１４】
特に、メガソーラの配電系統末端への連系と低圧側への一般需要家の太陽光発電装置連系の拡大に伴い、太陽光発電装置の端子電圧が上昇し、特定の需要家の太陽光発電装置が出力抑制されてしまうことになり、売電機会の損失が不平等に発生してしまう問題があげられる。
【００１５】
さらには、配電系統の計測値全てを用いてＰＶ端の電圧上昇を予測しようとすると、配電系統の負荷の力率やＰＶの力率の組み合わせや、負荷やＰＶの配電系統上における分布によっては、ＰＶ端における電圧高めの推定精度が低下し、ＳＶＲが無動作となる。
【００１６】
以上のことから本発明は、配電系統に設置された太陽光発電装置の出力が抑制される場合に、太陽光発電装置設置点の電圧を下げて出力抑制を解消するような制御を可能とする、配電系統の電圧調整装置、電圧調整システム、電圧調整方法および配電設備設計支援システムを提供するものである。
【課題を解決するための手段】
【００１７】
以上のことから本発明においては、「複数の太陽光発電装置を備えた配電系統に設置され、配電系統の仮想点における電圧を設定電圧とすべくタップを調整するタップ付変圧器を備えた配電系統の電圧調整装置であって、所定時間帯内に配電系統から得た情報に基づいて、当該所定時間帯における当該の配電系統に固有に定まる，電圧調整装置の整定値であるインピーダンスを求める時間帯別インピーダンス導出手段と、所定時間帯における日射量を求める日射量入手手段と、同一の所定時間帯における前記インピーダンスと日射量を関連付けて記憶するデータベースと、基準日射量によりデータベースを参照して基準日射量のときの前記インピーダンスを求めるインピーダンス抽出手段と、抽出したインピーダンスを整定値として用いて配電系統の仮想点における電圧を設定電圧とすべくタップを調整するタップ調整手段を備えることを特徴とする配電系統の電圧調整装置。」としたものである。
【００１８】
また本発明においては、「複数の太陽光発電装置を備えた配電系統に適用され、配電系統の仮想点における電圧を設定電圧とすべくタップを調整するタップ付変圧器と、配電設備設計支援システムを含む配電系統の電圧調整システムであって、配電設備設計支援システムは、所定時間帯内に配電系統から得た情報に基づいて、当該所定時間帯における当該の配電系統に固有に定まる，電圧調整装置の整定値であるインピーダンスを求める時間帯別インピーダンス導出手段と、所定時間帯における日射量を求める日射量入手手段と、同一の前記所定時間帯における前記インピーダンスと日射量を関連付けて記憶するデータベースを備え、タップ付変圧器は、基準日射量によりデータベースを参照して基準日射量のときの前記インピーダンスを求めるインピーダンス抽出手段と、抽出したインピーダンスを整定値として用いて配電系統の仮想点における電圧を設定電圧とすべくタップを調整するタップ調整手段を備えることを特徴とする配電系統の電圧調整システム。」としたものである。
【００１９】
また本発明においては、「複数の太陽光発電装置を備えた配電系統に設置され、配電系統の仮想点における電圧を設定電圧とすべくタップを調整するタップ付変圧器を備えた配電系統の電圧調整方法であって、所定時間帯内に配電系統から得た情報に基づいて、当該所定時間帯における当該の配電系統に固有に定まる，電圧調整装置の整定値であるインピーダンスを求め、所定時間帯における日射量を求め、同一の所定時間帯における前記インピーダンスと日射量を関連付けて記憶し、関連付けて記憶された前記インピーダンスと日射量を参照し、基準日射量のときの前記インピーダンスを抽出し、抽出したインピーダンスを整定値として用いて配電系統の仮想点における電圧を設定電圧とすべくタップを調整することを特徴とする配電系統の電圧調整方法。」としたものである。
【００２０】
また本発明は、「複数の太陽光発電装置と、与えられた整定値に応じて配電系統の仮想点における電圧を設定電圧とすべくタップを調整するタップ付変圧器を備えた配電系統に適用され、前記仮想点における電圧を推定するための整定値を与える配電系統の配電設備設計支援システムであって、所定時間帯内に配電系統から得た情報として、タップ付変圧器の通過電流の有効成分と無効成分、並びにタップ付変圧器と複数の太陽光発電装置の間の電位差に基づいて、当該所定時間帯における当該の配電系統に固有に定まる，電圧調整装置の整定値であるインピーダンスを求める時間帯別インピーダンス導出手段と、所定時間帯における太陽光発電出力を求める太陽光発電出力入手手段と、同一の所定時間帯における前記インピーダンスと太陽光発電出力を関連付けて記憶するデータベースを備え、データベースから抽出した前記インピーダンスを前記タップ付変圧器に与える出力手段を備えることを特徴とする配電系統の配電設備設計支援システム。」としたものである。
【発明の効果】
【００２１】
本発明の配電系統の電圧調整装置および制御方法により、太陽光発電などが大量に導入された系統でも、配電系統の電圧逸脱を低減できる。特定の太陽光発電の出力抑制量を低減することにより売電機会の損失を低減できる効果がある。さらに，日射量と関連付け電圧調整装置の整定値を選択して用いることで，より高精度に電圧調整が可能となり，太陽光の出力抑制量を低減することが可能となる。
【００２２】
また、本発明のそれ以外の効果については、明細書中で説明する。
【図面の簡単な説明】
【００２３】
【図１】本発明に係る配電設備設計支援システムの全体構成を示す図。
【図２】一般的な配電系統と電圧調整システムの構成例を示す説明図。
【図３】自動電圧調整器ＳＶＲのタップ制御装置の構成を示す図。
【図４】タップ制御動作で太陽光発電出力抑制を回避する処理フロー図。
【図５】計測手段と配電設備設計支援システムのデータの流れを示す図。
【図６】設備設計支援システム４００を計算機にて構成する場合の構成を示す図。
【図７】設備設計支援システム４００内の平面上分割区間決定手段４４０の処理内容を示すフロー。
【図８】設備設計支援システム４００内の上位ランクΔＶ抽出手段４６０の処理内容を示すフロー。
【図９】設備設計支援システム４００内の重回帰分析手段４８０の処理内容を示すフロー。
【図１０】図９で得られたαおよびβの幾何学的イメージを示す図。
【図１１】自動電圧調整器ＳＶＲ内にＳＶＲ整定値決定手段４００Ａを備えた実施例を示す図。
【図１２ａ】自動電圧調整器ＳＶＲを介して樹枝状に延伸配置された配電系統の面的なエリア構成例を示す図。
【図１２ｂ】太陽光発電装置ＰＶにおける出力抑制に相関関係を有する太陽光発電装置ＰＶのみを示す図。
【図１３】Ｉｒｓｖｒ、Ｉｉｓｖｒと、ΔＶによる３次元空間の概念を示す図。
【図１４】抽出したデータによる重回帰分析手段によりえられる平面の位置関係を示す図。
【図１５】従来と本発明における提案方式の効果の関係を示す図。
【図１６】ＳＶＲにおける整定値選択部を示す図。
【図１７】設備計画支援システムにおける日射量と整定値の対応付手段の処理を示す図。
【発明を実施するための形態】
【００２４】
以下、本発明の実施例について図面を用いて説明する。
【実施例】
【００２５】
図２は、一般的な配電系統と電圧調整システムの構成例を示す図である。図２で示される典型的な配電系統１００は、ノード（母線）１２０およびそれらを接続する配電線路１４０、ノード１２０に接続される負荷１５０や太陽光発電装置ＰＶ、配電線路１４０に設置されるセンサ１７０、配電用変電所１１０などで構成されている。ここでは、配電用変電所１１０のある図示左側をフィーダの送出し側、右側をフィーダの末端側としている。
【００２６】
自動電圧調整装置３００は、線路１４０に直列に設置され、線路電圧を調整する電圧調整装置である。自動電圧調整装置３００としては、負荷時タップ切替変圧器ＬＲＴや自動電圧調整器ＳＶＲが例示されるが、ここでは電圧調整装置３００として自動電圧調整器ＳＶＲを配置した例を示している。自動電圧調整器ＳＶＲは、配電用変電所における負荷時タップ切替変圧器（ＬＲＴ：Ｌｏａｄ  Ｒａｔｉｏ  Ｃｏｎｔｒｏｌ  Ｔｒａｎｓｆｏｒｍｅｒ）であってもよいが、図２では例えば自動電圧調整装置３００に例示されるように、単巻変圧器とタップチェンジャで構成される変圧器３０５と、制御部分３１０を備えた自動電圧調整器ＳＶＲを構成し、配電線路に設置されるセンサ１７０からの信号、配電設備設計支援システム４００からの動作整定値３５０を用いて、タップを操作している。
【００２７】
また図２において、４００は配電設備設計支援システムであり、センサ１７０を含む各種の計測手段２００から適宜入力を得、自動電圧調整装置３００に対して、その動作整定値３５０を与えている。なお図２は簡便な構成の配電系統１００を示しているが、実際には複数のフィーダの各所に適宜自動電圧調整装置３００を備えており、配電設備設計支援システム４００は各自動電圧調整装置３００に対して、夫々の設置場所における最適な動作整定値３５０を決定して与えている。
【００２８】
図２に例示するように本発明における電圧調整システムは、自動電圧調整装置３００と配電設備設計支援システム４００を含む全体構成のものであるが、本発明の実施例においては、自動電圧調整装置３００自体に図１に例示する配電設備設計支援システム４００の機能を内包し、電圧調整装置として一体化したものとされてもよい。
【００２９】
図１は、本発明に係る配電設備設計支援システムの全体構成を示している。配電設備設計支援システム４００は、その内部処理のために、センサ１７０を含む各種の計測手段２００から、自動電圧調整器ＳＶＲの通過電流の有効成分ＩｒＳＶＲと無効成分ＩｉＳＶＲ（または有効電力ＰＳＶＲと無効電力ＱＳＶＲ）、自動電圧調整器ＳＶＲ設置点と太陽光発電装置ＰＶ設置点間の電位差ΔＶ、日射量などを取得している。
【００３０】
配電設備設計支援システム４００は、一般には計算機システムとして構成されることになるが、その機能を手段として表すと、平面上分割区間決定手段４４０、上位ランクΔＶ抽出手段４６０、重回帰分析手段４８０、日射量と整定値の対応付手段５００、データベースＤＢ３、データベースＤＢ４、データベースＤＢ５などで構成される。
【００３１】
データベースＤＢ３には、対象とする配電系統における計測したＳＶＲ通過電流Ｉｒｓｖｒ、Ｉｉｓｖｒおよび電圧差ΔＶから太陽光発電出力抑制に寄与する電圧ΔＶｌｉｍを潮流計算で算出した各種のデータなどが記憶されている。またデータベースＤＢ３には、入力した時刻ごとの計測値以外に、データベースＤＢ４から対象配電系統、ＳＶＲ配置、太陽光発電設備の配置・容量、負荷パタン等が適宜与えられ、記憶されている。
【００３２】
データベースＤＢ５には、過去実績に基づき算出された多くのＳＶＲ整定値Ｒ２、Ｘ２が、時間帯と、その時間帯での日射量の情報と共に関連づけられて記憶されている。
【００３３】
なおデータベースＤＢ３、ＤＢ４、ＤＢ５は、通信などを介して配電設備設計支援システム４００内に適宜取り込むことができるものであれば、配電設備設計支援システム４００の外部に設置されたものであってもよい。
【００３４】
配電設備設計支援システム４００の主要な機能である平面上分割区間決定手段４４０、上位ランクΔＶ抽出手段４６０、重回帰分析手段４８０、日射量と整定値の対応手段５００の具体的な処理内容については、別途図７、図８、図９、図１７の処理フローを参照して詳細に説明するが、ごく簡単に述べると以下のようである。
【００３５】
まず、図１の平面上分割区間決定手段４４０では、データベースＤＢ３の情報を取り込んで、自動電圧調整器ＳＶＲの通過電流の有効成分ＩｒＳＶＲと無効成分ＩｉＳＶＲで定まる平面上において、分割区間（ΔＩｒｓｖｒ、ΔＩｉｓｖｒ）を決定する。上位ランクΔＶ抽出手段４６０では、任意の分割区間（Δｉｒｓｖｒ、ΔＩｉｓｖｒ）の中からから上位ランクのΔＶとなる（Ｉｒｓｖｒ、Ｉｉｓｖｒ、ΔＶ上位ランク）を抽出する。重回帰分析手段４８０では、抽出した（Ｉｒｓｖｒ、Ｉｉｓｖｒ、ΔＶ上位ランク）のデータ集合による重回帰分析をデータ取得の時間帯ごとに実施して、時間帯ごとにＳＶＲ整定値を求める。日射量と整定値の対応付手段５００では、重回帰分析手段４８０で求めた時間帯ごとのＳＶＲ整定値と、日射計１８５で計測した時間帯ごとの日射量を紐づけしてデータベースＤＢ５に記憶する。その後日射量に対応したＳＶＲ整定値は、外部出力され、自動電圧調整装置３００に対して、ＳＶＲ整定値３５０を設定する。
【００３６】
これに対し、ＳＶＲ整定値３５０を受信する側の自動電圧調整装置３００の制御部分は、図２のように配電線路の電気量を測定するセンサ１７０、変圧器のタップを制御するタップ制御装置３１０で構成されている。本発明に係る自動電圧調整器ＳＶＲの変圧器３０５と、制御部分の具体的な回路構成例を図３に示している。
【００３７】
図３を用いてまずタップ制御の考え方を説明し、その後に配電設備設計支援システム４００が与えるＳＶＲ整定値３５０と線路電圧降下補償回路ＬＤＣとの関わりについて説明する。図３には、自動電圧調整装置３００の主回路である単巻変圧器３０３、タップチェンジャ３０２と、制御装置であるタップ制御装置３１０が記載されている。
【００３８】
タップ制御装置３１０は、計測部３２０、線路電圧降下補償回路ＬＤＣ１、ＬＤＣ２、タップ制御部３４０、データベースＤＢ１、ＤＢ２、整定値選択部３４５を備え、単巻変圧器３０３の二次側電圧を所定値に制御すべくタップチェンジャ３０２を操作している。なお、整定値選択部３４５については、後述の図１６にて説明する。ここで、データベースＤＢ２には、配電設備設計支援システム４００が与えるＳＶＲ整定値３５０が保持されている。
【００３９】
データベースＤＢ１、ＤＢ２には、タップ制御を実行するうえでの各種の動作整定値が記憶されている。これらは、線路電圧降下補償演算（ＬＤＣ演算）を行う上でのパラメータ（電圧Ｖｒｅｆ、インピーダンスＲ、Ｘ）、不感帯Ｖε、タイマ時定数τ、動作時定数Ｔなどを含んでいる。配電設備設計支援システム４００がデータベースＤＢ２に与えるＳＶＲ整定値３５０は、これらの全てを含んでいてもよいが、少なくともインピーダンスＲ、Ｘは、配電設備設計支援システム４００での処理により定められたものである。
【００４０】
ここでデータベースＤＢ１に蓄積されて使用されるＳＶＲ整定値３５０としてのインピーダンスＲ、ＸがＲ１，Ｘ１であり、これらは既存の手法により設定されたものであり、本発明ではＲ１，Ｘ１の算出手法を問わない。これに対しデータベースＤＢ２に蓄積されて使用されるＳＶＲ整定値３５０としてのインピーダンスＲ、ＸがＲ２，Ｘ２であり、ＳＶＲ整定値Ｒ２，Ｘ２は配電設備設計支援システム４００が与えるＳＶＲ整定値である。
【００４１】
なお，ＳＶＲ整定値Ｒ１、Ｘ１は，正の値とする。一方，ＳＶＲ整定値Ｒ２、Ｘ２は，正の値ばかりではなく，負の値であっても良い。理由は，配電系統における負荷装置と太陽光発電設備の配置の関係によっては，ＳＶＲ通過潮流が逆潮流となる場合であっても，仮想点における電圧が下がる場合があるためである。このように，ＳＶＲ整定値Ｒ２、Ｘ２の値として，負の値を許容することで，より確実に電圧調整が可能となるという効果が得られる。
【００４２】
タップ制御装置３１０の計測部３２０には、配電線路の二次側電流Ｉｓｖｒを測定するセンサＣＴ、および二次側電圧Ｖｓｖｒを測定するセンサＰＴが接続される。
【００４３】
線路電圧降下補償回路ＬＤＣ（ＬＤＣ１、ＬＤＣ２）では、計測部３２０で測定された二次側電圧Ｖｓｖｒが、所定の制限値を逸脱していることを検出し、この状態が所定の計測時間以上継続していることをもって、タップ制御部３４０を介してタップの切替制御を実行する。
【００４４】
なお図３の実施例において、線路電圧降下補償回路ＬＤＣとしてＬＤＣ１、ＬＤＣ２を備えているが、このうち線路電圧降下補償回路ＬＤＣ１は既存の装置であり、線路電圧降下補償回路ＬＤＣ２は新たに追加された装置である。いずれの線路電圧降下補償回路ＬＤＣも、自動電圧調整装置３００の二次側情報から配電系統の仮想点における電圧を所定範囲に制御するものであるが、線路電圧降下補償回路ＬＤＣ１は太陽光発電装置ＰＶにおける問題点について何らの対策手法を有していないのに対し、線路電圧降下補償回路ＬＤＣ２は太陽光発電装置ＰＶにおける問題点を対策したものである。
【００４５】
また線路電圧降下補償回路ＬＤＣとしてＬＤＣ１、ＬＤＣ２を備えている点に関して、その双方の設定が太陽光発電装置ＰＶにおける問題点を対策したものとされるように構成されていてもよい。電圧を所定範囲内に制限する場合に、線路電圧降下補償回路ＬＤＣ１、ＬＤＣ２を上限、下限を定めるために使用することなどが可能である。
【００４６】
なお本発明は必ずしも２系統の線路電圧降下補償回路ＬＤＣを必要としないが、２系統の線路電圧降下補償回路ＬＤＣを備えた場合には、線路電圧降下補償回路ＬＤＣ１は太陽光発電装置ＰＶが出力していない夜間や曇天時におけるタップ制御に有効であり、線路電圧降下補償回路ＬＤＣ２は晴天時におけるタップ制御に有効であるといえる。
【００４７】
図４に、タップ制御部３４０によるタップ切換指令３０３の算出の流れを示す。図４のフローチャートによれば、最初の処理ステップＳ１において、計測部３２０で測定された二次側電流Ｉｓｖｒ、二次側電圧Ｖｓｖｒから、有効電力Ｐｓｖｒ、無効電力Ｑｓｖｒを計算する。この処理は、２つの線路電圧降下補償回路ＬＤＣのうち、例えば線路電圧降下補償回路ＬＤＣ１で算出されればよい。なお有効電力Ｐｓｖｒ、無効電力Ｑｓｖｒを直接計測する方式であってもよい。また有効電力Ｐｓｖｒ、無効電力Ｑｓｖｒの代わりに、自動電圧調整器ＳＶＲの通過電流の有効成分Ｉｒｓｖｒと無効成分Ｉｉｓｖｒを求めるものであってもよい。以下の例では有効成分Ｉｒｓｖｒと無効成分Ｉｉｓｖｒを用いた例を説明する。
【００４８】
次の処理ステップＳ２では、線路電圧降下補償回路ＬＤＣ１は、データベースＤＢ１に示すパラメータ（インピーダンスとしてＲ１とＸ１、電圧Ｖｒｅｆ１）を読み込み、（１）式を実行する。タップ制御装置３１０における（１）式の実行により、タップ動作判定基準値Ｖｓ１が計算される。
［数１］
Ｖｓ１＝Ｖｒｅｆ１＋Ｒ１・Ｉｒｓｖｒ＋Ｘ１・Ｉｉｓｖｒ        （１）
ここで、インピーダンス（Ｒ１、Ｘ１）、電圧Ｖｒｅｆ１は、予め設定されデータベースＤＢ１に格納されたパラメータであり、ＩｒｓｖｒとＩｉｓｖｒは、計測した通過電流Ｉｓｖｒと力率ｃｏｓθから求めた通過電流の実部と、通過電流の虚部である。そして、Ｒ１は自動電圧調整器ＳＶＲの通過電流の実部Ｉｒｓｖｒに対する係数、Ｘ１は自動電圧調整器ＳＶＲの通過電流の虚部Ｉｉｓｖｒに対する係数、Ｖｒｅｆ１は基準電圧である。
【００４９】
なお図４の処理ステップＳ２の記述は、Ｒ１・Ｉｒｓｖｒの項を有効電力Ｐｓｖｒと係数ＡＰ１の積として求め、またＸ１・Ｉｉｓｖｒ項を無効電力Ｑｓｖｒと係数Ａｑ１の積として求める計算式の例を記述しているが、これはいずれの手法を採用するものであっても同じ結果が導かれる。
【００５０】
同様にして処理ステップＳ３では、線路電圧降下補償回路ＬＤＣ２は、データベースＤＢ２に示すパラメータ（インピーダンスとしてＲ２とＸ２、電圧Ｖｒｅｆ２）を読み込み、（２）式を実行する。タップ制御装置３１０における（２）式の実行により、タップ動作判定基準値Ｖｓ２が計算される。
［数２］
Ｖｓ２＝Ｖｒｅｆ２＋Ｒ２・Ｉｒｓｖｒ＋Ｘ２・Ｉｉｓｖｒ        （２）
ここで、Ｒ２、Ｘ２、Ｖｒｅｆ２は、予め設定されたパラメータであり、ＩｒｓｖｒとＩｉｓｖｒは、計測した通過電流Ｉｓｖｒと力率ｃｏｓθから求めた通過電流の実部と、通過電流の虚部である。そして、Ｒ２は自動電圧調整器ＳＶＲの通過電流の実部Ｉｒｓｖｒに対する係数、Ｘ２は自動電圧調整器ＳＶＲの通過電流の虚部Ｉｉｓｖｒに対する係数、Ｖｒｅｆ２は基準電圧である。
【００５１】
なお図４の処理ステップＳ３の記述は、Ｒ２・Ｉｒｓｖｒの項を有効電力Ｐｓｖｒと係数ＡＰ２の積として求め、またＸ２・Ｉｉｓｖｒ項を無効電力Ｑｓｖｒと係数Ａｐ２の積として求める計算式の例を記述しているが、これはいずれの手法を採用するものであっても同じ結果が導かれる。
【００５２】
処理ステップＳ４では、（１）式で求めた基準値Ｖｓ１に対して自動電圧調整器ＳＶＲの二次側電圧Ｖｓｖｒが、正負の所定の制限値ε１を超えることの確認を行い、所定範囲内にあるとき（処理ステップＳ４のＹＥＳ）には処理ステップＳ１に戻り上記処理を繰り返す。
【００５３】
自動電圧調整器ＳＶＲの二次側電圧Ｖｓｖｒが、基準値Ｖｓ１に対して正負の所定の制限値ε１を超えるとき（処理ステップＳ４のＮｏ）、処理ステップＳ５では処理ステップＳ４の条件を満たす時間をタップ制御装置内に設けられたタイマで積算し、処理ステップＳ６ではその値がＴｓｖｒ１を超えた場合にタップ切換指令を発行し、タップ切換後に処理ステップＳ７でＴｓｖｒ１をリセットする。
【００５４】
（１）式の結果に対する上記の処理は、（２）式の結果に対しても同様に実行される。この処理部分が、図４の処理ステップＳ８からＳ１１に対応している。
【００５５】
具体的には、処理ステップＳ８では、（２）式で求めた基準値Ｖｓ２に対して自動電圧調整器ＳＶＲの二次側電圧Ｖｓｖｒが、正負の所定の制限値ε２を超えることの確認を行い、所定範囲内にあるとき（処理ステップＳ８のＹＥＳ）には処理ステップＳ１に戻り上記処理を繰り返す。
【００５６】
自動電圧調整器ＳＶＲの二次側電圧Ｖｓｖｒが、基準値Ｖｓ２に対して正負の所定の制限値ε２を超えるとき（処理ステップＳ８のＮｏ）、処理ステップＳ９では処理ステップＳ８の条件を満たす時間をタップ制御装置内に設けられたタイマで積算し、処理ステップＳ１０ではその値がＴｓｖｒ２を超えた場合にタップ切換指令を発行し、タップ切換後に処理ステップＳ１１でＴｓｖｒ２をリセットする。
【００５７】
上記の処理判断によれば、自動電圧調整器ＳＶＲの二次側電圧Ｖｓｖｒが、この基準値Ｖｓ１より一定値ε１以上小さい状態で一定時間（例えば、Ｔｓｖｒ１秒）経過すると、自動電圧調整器ＳＶＲのタップ３０２を上げ方向に変更し、二次側電圧を上昇させる。逆に、自動電圧調整器ＳＶＲの二次側電圧Ｖｓｖｒがこの基準値Ｖｓ１より一定値ε１以上大きい状態で一定時間経過すると、自動電圧調整器ＳＶＲのタップ３０２を下げ方向に変更し、二次側電圧を下降させるといった動作をする。
【００５８】
また同様に、自動電圧調整器ＳＶＲの二次側電圧Ｖｓｖｒが、この基準値Ｖｓ２より一定値ε２以上小さい状態で一定時間（例えば、Ｔｓｖｒ２秒）経過すると、自動電圧調整器ＳＶＲのタップ３０２を上げ方向に変更し、二次側電圧を上昇させる。逆に、自動電圧調整器ＳＶＲの二次側電圧Ｖｓｖｒがこの基準値Ｖｓ２より一定値ε２以上大きい状態で一定時間経過すると、自動電圧調整器ＳＶＲのタップ３０２を下げ方向に変更し、二次側電圧を下降させるといった動作をする。
【００５９】
図５に、配電設備設計支援システム４００と各種計測手段２００との関係を示す。自動電圧調整器ＳＶＲの通過電流の有効成分Ｉｒｓｖｒと、無効成分Ｉｉｓｖｒは、自動電圧調整器ＳＶＲ中の計測部３２０（図３参照）にて計測され、子局１９０から、専用線１９１、配電自動化システム６００を介して配電設備設計支援システム４００に取得される。また、太陽光発電装置ＰＶの端子電圧については、電圧計１８０からの電圧を子局１９０から専用線１９１、配電自動化システム６００を介して、配電設備設計支援システム４００に取得される。日射量についても、配電系統近傍に設置された日射計１８５において、子局１９０から専用線１９１、配電自動化システム６００を介して配電設備設計支援システム４００に取得される。日射計１８５が設置されていない場合であれば、気象庁からの日射量計測データから当該地域の日射量を得る。なお配電設備設計支援システム４００から配電自動化システム６００、専用線１９１、子局１９０を介して自動電圧調整器ＳＶＲに整定値３５０が伝送される。
【００６０】
図６に、設備設計支援システム４００を計算機にて構成する場合の構成例を示す。設備設計支援システム４００は、各種手段の結果得られる計算結果を表示する表示装置１１、当システム利用者からの入力を受け付けるための入力手段１２、各種手段を実行するためのＣＰＵ１３、通信手段１４、計算過程を保持するためのＲＡＭ１５、配電系統を構成するデータ群（対象配電系統、日射計測値、太陽光発電装置ＰＶ配置・容量、負荷パタン、ＳＶＲ配置）や、計測したＳＶＲ通過電流Ｉｒｓｖｒ、Ｉｉｓｖｒおよび差電圧ΔＶから太陽光発電出力抑制に寄与する電圧ΔＶｌｉｍを潮流計算で算出したデータなどを格納するデータベースＤＢ３、ＬＤＣパラメータを格納するデータベースＤＢ１、ＤＢ２、対象配電系統、ＳＶＲ配置、太陽光発電設備の配置・容量、負荷パタン等が格納されたデータベースＤＢ４、過去実績に基づき算出された多くのＳＶＲ整定値Ｒ２、Ｘ２が、時間帯と、その時間帯での日射量の情報と共に記憶されているデータベースＤＢ５から構成されている。
【００６１】
次に設備設計支援システム４００における具体的な処理内容について、順番に説明する。まず図７を用いて平面上分割区間決定手段４４０の処理内容を説明する。
【００６２】
（Ｉｒｓｖｒ、Ｉｉｓｖｒ）平面上の分割区間（ΔＩｒｓｖｒ、ΔＩｉｓｖｒ）を決定するフローを示す図７において、最初の処理ステップＳ４４１では、計測値Ｐ、Ｑから力率ｃｏｓθ、ｓｉｎθを得、あるいはＳＶＲ通過有効電流Ｉｒｓｖｒ、無効電流Ｉｉｓｖｒを直接計測する。次の処理ステップＳ４４２では、計測電流の平均値からＳＶＲ通過電流Ｉｒｓｖｒ、Ｉｉｓｖｒを算出する。もしくはＳＶＲ通過電流Ｉｒｓｖｒ、Ｉｉｓｖｒを得る。なお、この段階までにＳＶＲと複数の太陽光発電出力地点間の電位差ΔＶｉ（ｉ＝１、２、…ｎ）も得られており、ＳＶＲ通過電流Ｉｒｓｖｒ、ＩｉｓｖｒとＳＶＲと複数の太陽光発電出力地点間の電位差ΔＶｉは、計測時刻の情報と共に相互に関連付けされて得られるものである。
【００６３】
さらに、処理ステップＳ４４３では、Ｉｒｓｖｒ、Ｉｉｓｖｒのデータの分布に基づき、Ｉｒｓｖｒ、Ｉｉｓｖｒで構成する座標平面を想定し、この平面を区分化する。平面区分化は、Ｉｒｓｖｒ、Ｉｉｓｖｒの最大値と最小値が±１００Ａ程度であれば、区分化の単位としては、ΔＩｒｓｖｒ＝ΔＩｉｓｖｒ＝１０Ａとすることで、Ｉｒｓｖｒ、Ｉｉｓｖｒの平面を２０×２０に分割できることになり、後段の処理である重回帰分析を安定的に行うことが可能となる。この区分化の単位は、本システムのユーザが設定可能である。
【００６４】
図７の平面上分割区間決定手段４４０では、上記のようにして、Ｉｒｓｖｒ、Ｉｉｓｖｒで構成する二次元の座標平面を想定し、かつ二次元の座標平面を複数区間に分割して平面の区分化を行う。
【００６５】
次に図８を用いて上位ランクΔＶ抽出手段４６０の処理内容を説明する。
【００６６】
上位ランクΔＶ抽出手段４６０の処理フローを示す図８において、処理ステップＳ４６１では、ＳＶＲ通過電流Ｉｒｓｖｒ、Ｉｉｓｖｒと、ＳＶＲと複数の太陽光発電出力地点間の電位差ΔＶによる３次元の空間を想定する。具体的には、ＳＶＲ通過電流Ｉｒｓｖｒ、Ｉｉｓｖｒで区分化した各々の区分区間（ΔＩｒｓｖｒ、ΔＩｉｓｖｒ）に属する三次元座標（Ｉｒｓｖｒ、Ｉｉｓｖｒ、ΔＶ）において、ΔＶの値が大きい順にソーティングする。処理ステップＳ４６２では、ΔＶの値が大きい順にソーティングした（Ｉｒｓｖｒ、Ｉｉｓｖｒ、ΔＶ）データセットのうち、ΔＶの値が上位１位、２位、３位となるデータを選択する。上位何位まで選ぶべきかは、本システムのユーザが設定可能である。
【００６７】
図１３は、Ｉｒｓｖｒ、Ｉｉｓｖｒと、ΔＶによる３次元空間の概念を示す図である。図１３では、ＳＶＲ通過電流ＩｒｓｖｒとＩｉｓｖｒによる平面座標に対してΔＩｒｓｖｒとΔＩｉｓｖｒを単位とする平面領域の区分化を実施し、かつ高さ方向にＳＶＲと複数の太陽光発電出力地点間の電位差ΔＶを採用した３次元空間を想定している。区分化された平面における電位差ΔＶを○または●で表示しているが、ここでは電位差ΔＶが大きい上位ランクのものを●で表示している。
【００６８】
図８において、電位差ΔＶの値が上位１位、２位、３位となる（Ｉｒｓｖｒ、Ｉｉｓｖｒ、ΔＶ）のデータセットに対して、選択フラグを付与する。この選択フラグの設定有無により、重回帰分析をする際のデータの判別が可能となり、図９に示す重回帰分析手段４８０の処理を開始する。
【００６９】
図９に、重回帰分析手段４８０の処理を示す。まず、処理ステップＳ９００において重回帰分析をするための単位時間を設定する。例えば、１時間や３時間などである。処理ステップＳ９０７では、例えば１日の日中についての１時間または３時間刻みでの全ての時間帯分の計算をすれば終了する。以降の処理は単位時間に含まれるデータセットに対して処理を行う。処理ステップＳ９０１において太陽光発電装置ＰＶｉの組合せを検索し、処理ステップＳ９０２で選択フラグ＝＝１である太陽光発電装置ＰＶｉの組合せを抽出する。選択フラグ＝＝１である太陽光発電装置ＰＶｉの組合せを見つけたら、処理ステップＳ９０３で、そのときの電位差ΔＶとＳＶＲ通過電流Ｉｒｓｖｒ、Ｉｉｓｖｒとの間で重回帰分析計算を行い、ΔＶ＝α×Ｉｒｓｖｒ＋β×Ｉｉｓｖｒ＋ΔＶ０となるαをＳＶＲのＬＤＣ２の整定値Ｒ（Ω）とする。
【００７０】
さらに処理ステップＳ９０４では、このときの電位差ΔＶとＳＶＲ通過電流Ｉｉｓｖｒとの間で重回帰分析を行い、ΔＶ＝α×Ｉｒｓｖｒ＋β×Ｉｉｓｖｒ＋ΔＶ０となるβを自動電圧調整器ＳＶＲのＬＤＣ２の整定値Ｘ（Ω）とする。
【００７１】
処理ステップＳ９０５では、ＳＶＲ２次側電圧と選択フラグ＝＝１となるＰｖｉ端電圧との差ΔＶと、ＳＶＲ通過電流Ｉｉｓｖｒデータとの間で重回帰分析計算により，Ｚ軸との切片からＳＶＲ整定値ΔＶ０を算定する。
【００７２】
処理ステップＳ９０６では、もしもすべてのデータ組合せパタンを検索済みでなければ、処理ステップＳ９０１へ戻る。もしもすべてのデータ組合せパタンを検索済みであれば、本処理を終了とし、季節・時間帯に紐づけられたＳＶＲ整定値Ｒ２、Ｘ２を決定する。
【００７３】
設定した時間帯毎に行われる上記処理により、例えば日照のある朝６時から夜６時までの１時間ごとの時間帯で求められたＳＶＲ整定値Ｒ２、Ｘ２が得られたことになる。これらの時間帯ごとのＳＶＲ整定値Ｒ２、Ｘ２は、時間の情報とともに、図１に示したデータベースＤＢ５に保持されていくが、このとき日射量と整定値の対応付手段５００での処理により、重回帰分析手段４８０で求めた時間帯ごとのＳＶＲ整定値と、日射計１８５で計測した時間帯ごとの日射量を関連づけしてデータベースＤＢ５に記憶される。
【００７４】
図９の処理は、要するに自動電圧調整器ＳＶＲのＬＤＣ２の整定値Ｒ、Ｘで定める仮想点を定めるに当たり、出力抑制を生じる太陽光発電装置ＰＶを考慮してその位置を定めたものである。自動電圧調整器ＳＶＲの傘下に例えば１００台の太陽光発電装置ＰＶが存在し、このうち５０台が頻繁にあるいは大規模な出力抑制を生じる太陽光発電装置ＰＶであるといった場合に、１００台すべてを考慮した仮想点設定を行っていたものが従来であるに対し、本発明では出力抑制を生じる５０台の太陽光発電装置ＰＶを主体として仮想点設定を行うものである。
【００７５】
このため、出力抑制を生じる太陽光発電装置ＰＶを主体とする仮想点設定の実現手法にはいくつかのものが想定し得、本発明はそのいずれであってもよい。これらの変形手法は、例えば出力抑制程度の高い太陽光発電装置ＰＶに限定して定めるとか、出力抑制から救うことのできる太陽光発電装置ＰＶの台数を極力大きくするように繰り返し計算により定めるとか、出力抑制を生じる太陽光発電装置ＰＶの重み係数を上げて仮想点を定めるとか言ったことが考えられる。
【００７６】
図１０に、図９で得られたαおよびβの幾何学的イメージを示す。図１０はＳＶＲ通過電流の有効成分Ｉｒｓｖｒ、無効成分Ｉｉｓｖｒ、並びにＳＶＲ２次側電圧と太陽光発電装置端子電圧の電位差ΔＶで定まる３次元平面を表記したものである。ここでは、電位差ΔＶがΔＶ０である時に、有効成分Ｉｒｓｖｒが増加したときの電圧変動分ΔΔＶと、無効成分Ｉｉが増加したときの電圧変動分ΔΔＶ‘が表す領域を表示している。
【００７７】
図１０のこの関係から、αおよびβは（３）（４）式で表現することができる。この係数αおよびβは季節・時間帯に紐づけられたＳＶＲ整定値Ｒ２、Ｘ２を決定したことに他ならない。
［式３］
α＝ΔΔＶ／ΔＩｒ          （３）
［式４］
β＝ΔΔＶ‘／ΔＩｉ      （４）
図１の実施例では、自動電圧調整器ＳＶＲと配電設備設計支援システム４００を別個に配置して信号伝送を行う事例を示したが、図１１は自動電圧調整器ＳＶＲ内にＳＶＲ整定値決定手段４００Ａを備えた実施例を示している。ＳＶＲ整定値決定手段４００Ａは、データベースＤＢ３Ａ、平面上分割区間決定手段４４０Ａ、上位ランクΔＶ抽出手段４６０Ａ、重回帰分析手段４８０Ａ、日射量と整定値の対応付手段５００Ａ、データベースＤＢ４Ａ、データベースＤＢ５Ａを有する。計測手段２００によりＳＶＲ通過電流ＩｒｓｖｒとＩｉｓｖｒ、自動電圧調整器ＳＶＲと太陽光発電装置ＰＶｉ出力地点間の電位差ΔＶｉ、日射量を取得し、平面上分割区間決定手段４４０Ａ、上位ランクΔＶ抽出手段４６０Ａにより、太陽光発電装置出力抑制に相関関係を持つデータを選び出したうえで、重回帰分析を行う４８０Ａの手段により時間帯ごとのＳＶＲ整定値を求める。また日射量と整定値の対応付手段５００Ａにより、日射量の情報と共に関連づけられて時間帯ごとのＳＶＲ整定値がデータベースＤＢ５Ａに蓄積記憶される。その後、ＳＶＲ整定値３５０はタップ制御３１０へ設定されることを示している。
【００７８】
図１、図１１で説明した処理の概念を図１２ａ、図１２ｂにより説明する。まず図１２ａは、変電所１１０から自動電圧調整器ＳＶＲを介して例えば樹枝状に延伸配置された配電系統の面的なエリア構成例を示している。係る配電系統において、「○」の位置に太陽光発電装置ＰＶが配置されている。ここでは既存の装置である線路電圧降下補償回路ＬＤＣ１の動作整定値Ｒ１、Ｘ１が定める自動電圧調整器ＳＶＲ二次側の仮想点の位置がＧ１であるとする。なお仮想点とは、配電系統の面的なエリア構成におけるインピーダンス分布の重心位置に対応している。従って、この点を電圧制御すれば配電系統全体を適正に電圧制御することが可能である。
【００７９】
これに対し図１２ｂは、図１、図１１の平面上分割区間決定手段４４０Ａ、上位ランクΔＶ抽出手段４６０Ａ、重回帰分析手段４８０Ａにおいて求めた、太陽光発電装置ＰＶにおける出力抑制に相関関係を有する太陽光発電装置ＰＶのみを「●」で示したものである。重回帰分析手段４８０では、抽出した出力抑制に相関関係を有する太陽光発電装置ＰＶの配置情報を考慮して、特に出力抑制が大きく、ＳＶＲ２次側電圧と太陽光発電装置ＰＶｉ端子電圧との電位差ΔＶｉとの相関が大きい太陽光発電装置ＰＶｉについて、当該配電系統の面的なエリア構成におけるインピーダンス分布の重心位置Ｇ２を求めたものである。
【００８０】
図１４は、平面上分割区間決定手段４４０Ａ、上位ランクΔＶ抽出手段４６０Ａにより抽出した●のデータ群を用いて、重回帰分析手段４８０Ａにおいて求めた平面を示す図である。この平面は●の集合から求めた平面であり、この平面から図１０に示す係数αおよびβを定める結果として、特に出力抑制が大きく、ＳＶＲ２次側電圧と太陽光発電装置ＰＶｉ端子電圧との電位差ΔＶｉとの相関が大きい太陽光発電装置ＰＶｉについて配慮した自動電圧調整器ＳＶＲを構成することができる。
【００８１】
また図１５は、図１２ａと図１２ｂの場合における電位差ΔＶの推定精度の関係を示している。図１５の上部には、図１２ａの従来方式（全データにより重回帰分析）の時の電位差の時間変化（細い実線）と従来方式における推定による電位差の時間変化（太い実線）を比較表示している。太い実線が、細い実線と重なれば、電位差の推定が正確に行われたことを意味しており、自動電圧調整器ＳＶＲによる制御が良好に行われることを示しているが、特に最大値についての推定がよくないことが明白である。
【００８２】
ここで最大値は太陽光発電出力抑制が実施される可能性が高い領域であることから、太い実線は、細い実線の最大値近傍を正確に推定すべきところ、最大値を正確に推定できていないことが従来における問題である。この点について、図１５の下部に示す本発明の提案に係る手法によれば、太い実線は、細い実線の最大値近傍を正確に推定できており、太陽光発電出力抑制が実施される可能性が低くなっていることが理解できる。
【００８３】
図１７は、日射量と整定値の対応付手段５００の処理内容を示している。日射量と整定値の対応付手段５００の処理では、初めに、処理ステップＳ１７０１において、該当地域における単位時間毎の日射量を取得する。日射量は、気象庁やＮＥＤＯ等気象関係に公開されているデータでもよい。次に処理ステップＳ１７０２において、前段の重回帰分析処理４８０で計算した単位時間毎の整定値を取得する。その後に処理ステップＳ１７０３において、単位時間毎に日射量と整定値の相関関係を生成する。処理ステップＳ１７０３の処理として、単位時間毎の日射量と整定値を紐付けてテーブル化する方法や、単位時間の日射量と整定値のデータの組に基づく重回帰分析により、線形式を生成する方法もある。これらの単位時間ごとに相関づけられた日射量と整定値は、データベースＤＢ５に蓄積される。
【００８４】
図１６は、ＳＶＲにおける整定値選択部３４５の処理内容を示す。ＳＶＲは、図１６の処理ステップＳ１６０１において、日射計１８５から日射量を受信すると、データベースＤＢ５を参照して日射量に対応する整定値を選択する。処理ステップＳ１６０２では、選択した整定値を、ＬＤＣ２へ送信する。
【００８５】
なお図１６の処理において、データベースＤＢ５を参照し、ＬＤＣ２の設定に反映させる日射量（以下基準日射量という）について、以下のように取り扱うことが考えられる。まず、基準日射量は例えば１時間の時間帯での平均的な日射量として把握されるのがよい。これにより日射量の瞬間的な変動によりその都度ＳＶＲ整定値が可変に変更され、制御が安定化しない事態を避けることができる。
【００８６】
また基準日射量は、天気予報を参考にしたものであってもよい。例えば、明日の天気が曇り（あるいは快晴）であり、当該季節の天気が曇り（あるいは快晴）である時の過去実績が多数得られており、明日の天気予測の推定信頼度が高いことが判明している時、明日の日射量の参照情報として過去実績における日射量を、データベースＤＢ５を参照するときの基準日射量として使用することができる。
【００８７】
また基準日射量は、将来時刻の気象を予測して求めた予測日射量であってもよい。近隣地域における雲の動き、天気予報などから現在時刻が１０時である時に、１時間後の１１時の気象を予測し、そのときの日射量を、データベースＤＢ５を参照するときの基準日射量として使用することができる。なお予測時点は、１時間後に限らず、任意に設定してもよい。
【００８８】
基準日射量は、計測した実際の日射量ばかりでなく、上記観点から決定された値を利用することができる。本発明ではこれらの総称として基準日射量としている。
【００８９】
なお図１６において、基準日射量を用いてデータベースＤＢ５を参照し、整定値を取り出す場合に、必ずしも条件にぴたりと合致するものが存在しない場合が考えられ、この場合には類似条件での選択を行うのがよい。このために適宜の学習処理などが採用されるものであってもよい。
【００９０】
本発明の線路電圧降下補償回路ＬＤＣ２の動作整定値Ｒ２、Ｘ２は、重心位置Ｇ２を示している。本発明によれば、出力抑制の対象となる太陽光発電装置により近い位置が仮想点として設定されることにより、近傍の電圧が制限値を逸脱しないように自動電圧調整器ＳＶＲにおけるタップ制御が配電系統の電圧を調整するので、出力抑制の機会が多かった太陽光発電装置は抑制せずとも好い環境下におかれることになる。
【００９１】
従来の場合には、一度定めた重心位置Ｇ１を制御するのみで太陽光発電装置ＰＶの出力状況が考慮されていないが、本発明では、出力抑制が大きい順に相関関係を有する太陽光発電装置ＰＶのみを抽出し、その都度重心位置Ｇ２として反映させているので、出力抑制による売電機会の損失を受けている特定の太陽光発電装置ＰＶの不公平を回避することが可能である。
【００９２】
この結果、太陽光発電装置ＰＶの出力が過度に上昇する場合であっても、事前に上流側の自動電圧調整器ＳＶＲにおけるタップ制御が配電系統の電圧を調整するので、太陽光発電装置ＰＶの出力抑制に至る機会を削減することが可能である。
【００９３】
本発明による以上のような制御により、太陽光発電などが分岐系統等に大量に導入された系統でも、太陽光発電の出力抑制量を低減できる効果がある。また、電圧調整装置が太陽光発電の出力抑制発生時にのみ系統の電圧を調整することで、常時の電圧調整装置の電圧調整能力を向上させることが可能となり、配電系統に連系可能な負荷や太陽光発電量の増加に対する対策設備コストを削減することができる効果がある。
【００９４】
また本発明によれば、同じ１日の日照時間帯の中であっても、日照条件が相違することに伴い電力系統の状態が変化しているので、設定すべき整定値を日射量に応じて可変とすることで、よりきめ細かな電力系統制御に貢献することができる。
【００９５】
以上説明した本発明はその実施の形態は多様であるが、いずれの場合であっても、「所定時間帯内に配電系統から得た情報に基づいて、所定時間帯における配電系統のインピーダンスを求める時間帯別インピーダンス導出手段と、所定時間帯における日射量を求める日射量入手手段と、同一の前記所定時間帯におけるインピーダンスと日射量を関連付けて記憶するデータベースと、基準日射量によりデータベースを参照して基準日射量のときのインピーダンスを求めるインピーダンス抽出手段と、抽出したインピーダンスを整定値として用いて配電系統の仮想点における電圧を設定電圧とすべくタップを調整する」ものである。
【００９６】
ここで、時間帯別インピーダンス導出手段とは、図１の平面上分割区間決定手段４４０、上位ランクΔＶ抽出手段４６０、重回帰分析手段４８０を主たる構成とした部分であり、日射量入手手段は図４の日射計１８５により計測され、あるいは図１の計測手段２００から入手される部分であり、データベースは図１などのデータベースＤＢ５であり、インピーダンス抽出手段は図３の整定値選択部３４５、あるいは図１６のフローにおける処理部分がそれぞれ対応している。
【産業上の利用可能性】
【００９７】
配電系統の電圧を調整する電圧調整装置として活用することができる。また、電圧調整装置である自動電圧調整器ＳＶＲや配電用変電所ＬＲＴの制御システムとして活用することがきる。また、配電系統において、太陽光発電などの分散電源の増設に対応した、電圧維持対策、配電設備利用率向上対策として活用することが可能となる。
【符号の説明】
【００９８】
１００：配電系統
１１０：配電用変電所
１２０：ノード
ＰＶ：太陽光発電装置
１４０：配電線路
１５０：負荷
１７０：センサ
３００：自動電圧調整装置
３０２：タップチェンジャ
３０３：単巻変圧器
３０５：変圧器
３１０：タップ制御装置
ＣＴ：電流センサ
ＰＴ：電圧センサ
３２０：制御装置の計測部
ＬＤＣ１、ＬＤＣ２：線路電圧降下補償回路
３４０：タップ制御装置
ＤＢ１、ＤＢ２、ＤＢ３、ＤＢ４、ＤＢ５：データベース
【図１】
2019126229.tif 000003
【図２】
2019126229.tif 000004
【図３】
2019126229.tif 000005
【図４】
2019126229.tif 000006
【図５】
2019126229.tif 000007
【図６】
2019126229.tif 000008
【図７】
2019126229.tif 000009
【図８】
2019126229.tif 000010
【図９】
2019126229.tif 000011
【図１０】
2019126229.tif 000012
【図１１】
2019126229.tif 000013
【図１２ａ】
2019126229.tif 000014
【図１２ｂ】
2019126229.tif 000015
【図１３】
2019126229.tif 000016
【図１４】
2019126229.tif 000017
【図１５】
2019126229.tif 000018
【図１６】
2019126229.tif 000019
【図１７】
2019126229.tif 000020